【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
表示パネルの画面に測色用画像を表示し、センサにより測色して得られる測色結果に基づいて、前記表示パネルの表示画質を調整する校正処理を行う校正手段と、
前記校正処理の実行中に、前記センサの測色精度が低下する可能性がある所定の事象を検出する検出手段と、
前記検出手段が前記所定の事象を検出した場合に、前記センサによる前記所定の事象の検出前および検出後の測色結果を比較することにより、前記校正処理を中止するか否かを判定する判定処理を行う判定手段と、を備える
表示制御装置。
【請求項２】
前記校正処理では、複数の測色用画像が１つずつ順番に表示され、測色され、
前記検出手段が前記所定の事象を検出した場合に、
前記判定手段は、前記検出手段が前記所定の事象を検出した時に、前記複数の測色用画像のうち最後に表示されていたｎ番目（ｎは２以上の整数）の前記測色用画像である第ｎ測色用画像よりも前に表示されていた前画像を前記表示パネルに再表示して前記センサにより測色し、前記検出手段が前記所定の事象を検出する前の前記前画像の測色値と、前記検出手段が前記所定の事象を検出した後の前記前画像の測色値との差分である差分値が所定値より大きい場合、前記校正処理を中止すると判定する
請求項１に記載の表示制御装置。
【請求項３】
前記差分値が前記所定値以下である場合、前記校正手段は、前記第ｎ測色用画像から前記校正処理を再開する、
請求項２に記載の表示制御装置。
【請求項４】
前記前画像は、前記第ｎ測色用画像の１つ前に表示されていた第ｎ−１測色用画像である請求項２または３に記載の表示制御装置。
【請求項５】
前記判定手段は、前記センサが測色中か否かを判定し、前記センサにより測色が行われている最中に、前記検出手段により前記所定の事象が検出された場合にのみ、前記判定処理を行う
請求項２から４のいずれか１項に記載の表示制御装置。
【請求項６】
前記所定の事象は、前記表示パネルの操作ボタンに対するボタン操作である
請求項１から５のいずれか１項に記載の表示制御装置。
【請求項７】
前記表示パネルは、タッチセンサを有するタッチパネル型の表示パネルであり、
前記所定の事象は、前記タッチセンサに対するタッチ操作である
請求項１から５のいずれか１項に記載の表示制御装置。
【請求項８】
前記所定の事象は、前記表示パネルを含む表示装置本体の位置の変化である、
請求項１から５のいずれか１項に記載の表示制御装置。
【請求項９】
前記所定の事象は、前記表示パネルを含む表示装置本体に対するケーブルの挿抜である請求項１から５のいずれか１項に記載の表示制御装置。
【請求項１０】
前記センサが前記表示パネルを含む表示装置本体に内蔵される内蔵センサであるか前記表示パネルに対し着脱可能な外部センサであるかを判定するセンサ制御手段をさらに備え、
前記判定手段は、前記センサ制御手段が前記センサが前記外部センサであると判定した場合のみ、前記判定処理を行う、
請求項１から９のいずれか１項に記載の表示制御装置。
【請求項１１】
表示パネルの画面に測色用画像を表示し、センサにより測色して得られる測色結果に基づいて、前記表示パネルの表示画質を調整する校正処理を行うステップと、
前記校正処理の実行中に、前記センサの測色精度が低下する可能性がある所定の事象を検出するステップと、
前記所定の事象を検出した場合に、前記センサによる前記所定の事象の検出前および検出後の測色結果を比較することにより、前記校正処理を中止するか否かを判定する判定処理を行う判定ステップと、を含む
表示制御装置の制御方法。
【請求項１２】
前記校正処理では、複数の測色用画像が１つずつ順番に表示され、測色され、
前記判定ステップでは、
前記所定の事象を検出した時に、前記複数の測色用画像のうち最後に表示されていたｎ番目（ｎは２以上の整数）の前記測色用画像である第ｎ測色用画像よりも前に表示されていた前画像を前記表示パネルに再表示して前記センサにより測色され、
前記所定の事象を検出する前の前記前画像の測色値と、前記所定の事象を検出した後の前記前画像の測色値との差分である差分値が所定値より大きい場合、前記校正処理を中止すると判定される
請求項１１に記載の表示制御装置の制御方法。
【請求項１３】
前記差分値が前記所定値以下である場合、前記第ｎ測色用画像から前記校正処理が再開される
請求項１２に記載の表示制御装置の制御方法。
【請求項１４】
前記前画像は、前記第ｎ測色用画像の１つ前に表示されていた第ｎ−１測色用画像である請求項１２または１３に記載の表示制御装置の制御方法。
【請求項１５】
前記センサが測色中か否かを判定するステップをさらに含み、
前記センサによる測色が行われている最中に前記所定の事象が検出された場合のみ前記判定処理が行われる
請求項１２から１４のいずれか１項に記載の表示制御装置の制御方法。
【請求項１６】
前記所定の事象は、前記表示パネルの操作ボタンに対するボタン操作である
請求項１１から１５のいずれか１項に記載の表示制御装置の制御方法。
【請求項１７】
前記表示パネルは、タッチセンサを有するタッチパネル型の表示パネルであり、
前記所定の事象は、前記タッチセンサに対するタッチ操作である
請求項１１から１５のいずれか１項に記載の表示制御装置の制御方法。
【請求項１８】
前記所定の事象は、前記表示パネルを含む表示装置本体の位置の変化である、
請求項１１から１５のいずれか１項に記載の表示制御装置の制御方法。
【請求項１９】
前記所定の事象は、前記表示パネルを含む表示装置本体に対するケーブルの挿抜である請求項１１から１５のいずれか１項に記載の表示制御装置の制御方法。
【請求項２０】
前記センサが前記表示パネルを含む表示装置本体に内蔵される内蔵センサであるか前記表示パネルに対し着脱可能な外部センサであるかを判定するステップを、さらに含み、
前記センサが前記外部センサであると判定した場合のみ、前記判定処理が行われる
請求項１１から１９のいずれか１項に記載の表示制御装置の制御方法。
【請求項２１】
請求項１１から２０のいずれか１項に記載の制御方法の各ステップをコンピュータに実行させるためのプログラム。
【手続補正２】
【補正対象書類名】明細書
【補正対象項目名】００１２
【補正方法】変更
【補正の内容】
【００１２】
本発明の表示制御装置は、
表示パネルの画面に測色用画像を表示し、センサにより測色して得られる測色結果に基づいて、前記表示パネルの表示画質を調整する校正処理を行う校正手段と、
前記校正処理の実行中に、前記センサの測色精度が低下する可能性がある所定の事象を検出する検出手段と、
前記検出手段が前記所定の事象を検出した場合に、前記センサによる前記所定の事象の検出前および検出後の測色結果を比較することにより、前記校正処理を中止するか否かを判定する判定処理を行う判定手段と、を備える。
【手続補正３】
【補正対象書類名】明細書
【補正対象項目名】００１３
【補正方法】変更
【補正の内容】
【００１３】
本発明の表示制御装置の制御方法は、
表示パネルの画面に測色用画像を表示し、センサにより測色して得られる測色結果に基づいて、前記表示パネルの表示画質を調整する校正処理を行うステップと、
前記校正処理の実行中に、前記センサの測色精度が低下する可能性がある所定の事象を検出するステップと、
前記所定の事象を検出した場合に、前記センサによる前記所定の事象の検出前および検出後の測色結果を比較することにより、前記校正処理を中止するか否かを判定する判定処理を行う判定ステップと、を含む。
【手続補正４】
【補正対象書類名】明細書
【補正対象項目名】００１４
【補正方法】変更
【補正の内容】
【００１４】
本発明の表示制御装置の制御プログラムは、
コンピュータに、
表示パネルの画面に測色用画像を表示し、センサにより測色して得られる測色結果に基づいて、前記表示パネルの表示画質を調整する校正処理を行うステップと、
前記校正処理の実行中に、前記センサの測色精度が低下する可能性がある所定の事象を検出するステップと、
前記所定の事象を検出した場合に、前記センサによる前記所定の事象の検出前および検出後の測色結果を比較することにより、前記校正処理を中止するか否かを判定する判定処理を行う判定ステップと、を実行させる。